(57)【要約】      （修正有）【課題】外付式コンピュータシステムを変更可能なカーオーディオを提供する。【解決手段】外付式コンピュータシステムを変更可能なカーオーディオは、現有のカーオーディオ本体３構造において、ユーザーのニーズに合わせて各種異なる機能システムを変更できる外付式コンピュータモジュール４の構成であり、これによって、ハードウェアをグレードアップさせる目的を達成する。その内、前記カーオーディオ本体は、ディスプレイ、オーディオアッセンブリ、外部接続ラグ端子３５、及びパネルを備え、前記パネルには少なくとも一つのストレージデバイスジャック及び一つの操作ボタンを配置する。また、カーオーディオ本体の後方には外付式コンピュータモジュールを挿入し固定するためのジャックを設け、外付式コンピュータモジュールには端子台４１を配置し、外部接続ラグ端子に対応させて接続する。【選択図】図４
0003166796.tif 000002
【実用新案登録請求の範囲】
【請求項１】
外付式コンピュータシステムを変更可能なカーオーディオは、現有のカーオーディオ本体の構造において、ユーザーのニーズに合わせて各種異なる機能システムを変更できる外付式コンピュータモジュールの構成であり、その内、
後方に外部接続ラグ端子と装着部を備え、外付式コンピュータモジュールを嵌入、接続、固定させるカーオーディオ本体は、ディスプレイと、オーディオアッセンブリとストレージデバイスジャックとを備え、
前記ディスプレイにおいて、ディスプレイのデジタルＲＧＢ入力ピンは、外部接続ラグ端子上に対応するピン部に直接接続し、
前記オーディオアッセンブリは、少なくとも操作ボタンと音声通路とを備え、制御ピンは、外部接続ラグ端子上に対応するピン部に接続し、オーディオアッセンブリは、外付式コンピュータモジュールに直接制御され、
前記ストレージデバイスジャックのピンは、外部接続ラグ端子上に対応するピン部に直接接続し、
外付式コンピュータモジュールの前端に配置した端子台は、それに対応するカーオーディオ本体の外部接続ラグ端子に接続し、外付式コンピュータモジュール内には応用ソフトユニットを備え、
前述の構成要素に基づき、ユーザーのニーズに合わせて異なる機能の外付式コンピュータモジュールを選択し、カーオーディオ本体に嵌設し、オーディオ本体の構造を変更せずに、ハードウェアをグレードアップさせる目的を達成することを特徴とする外付式コンピュータシステムを変更可能なカーオーディオ。
【請求項２】
前記外付式コンピュータ外部の末端には少なくとも一つの第二定位部を設け、それはカーオーディオ本体の装着部の装着口に配置した少なくとも一つの第一定位部に対応させ、螺合固定することを特徴とする請求項１に記載の外付式コンピュータシステムを変更可能なカーオーディオ。
【請求項３】
前記装着部の両側にはそれぞれレールを配置することを特徴とする請求項１に記載の外付式コンピュータシステムを変更可能なカーオーディオ。
【請求項４】
前記ストレージデバイスジャックはＵＳＢジャックとすることを特徴とする請求項１に記載の外付式コンピュータシステムを変更可能なカーオーディオ。
【請求項５】
前記ストレージデバイスジャックはＳＤジャックとすることを特徴とする請求項１に記載の外付式コンピュータシステムを変更可能なカーオーディオ。
【請求項６】
前記ディスプレイはタッチパネルディスプレイとすることを特徴とする請求項１に記載の外付式コンピュータシステムを変更可能なカーオーディオ。
【請求項７】
前記応用ソフトユニットは、少なくとも一つのオーディオ操作インタフェースソフトと、再生デジタルフォームを備えるミュージックファイルのソフト及びハードを含むことを特徴とする請求項１に記載の外付式コンピュータシステムを変更可能なカーオーディオ。
【請求項８】
前記外付式コンピュータ外部の末端には少なくとも一つの定位孔を配置し、それは、カーオーディオ本体の装着部の装着口に配置した定位ボルト孔と共に、対応するボルトを螺合し固定することを特徴とする請求項１に記載の外付式コンピュータシステムを変更可能なカーオーディオ。
【考案の詳細な説明】
【技術分野】
【０００１】
本考案は、外付式コンピュータシステムを変更可能なカーオーディオに関し、異なる機能の各種システムへの交換を可能にする外付式コンピュータモジュールを用いて、カーオーディオ本体を変化させないことを前提に、ハードウェアをグレードアップさせる目的を達成するカーオーディオに係る。
【背景技術】
【０００２】
公知のカーオーディオシステムは、規格及び機能の設計において、一次設計方式を採用しているため、市場やユーザーに変更の要望があった場合、メーカーは改めて全体設計を変更するか別に新しいタイプを開発しなければならず、新設計に投資する人力コストは大幅に増加し、それと同時に、原料在庫コストの向上を生む。また、コンピュータのＣＰＵ技術が日進月歩するのに伴い、一部のカーオーディオシステムには、通常、車両周辺の各種機能整合インタフェースに基づく特殊設計を行っている。しかし、数年が経過し、車両はまだ動かせるが、音響中のコンピュータのＣＰＵは既に後れたもので、ＩＴ製品によって開発されたインターネットビデオ技術の応用についていけなくなっている。コンピュータのＣＰＵを取り替えようとしても、新しいコンピュータのＣＰＵは車の周辺インタフェースに全く符合せず、取り替えないならグレードアップした機能を使用することはできない。
【０００３】
また、伝統的なディスプレイを備えるカーオーディオにカーナビゲーションを追加取り付けする場合、通常はカーナビゲーション本体を外付けする。この種の方法では距離の問題があるため、ディスプレイにはアナログＲＧＢしか使用できず、カーナビゲーションの画質は比較的劣るものとなる。また、例えばＵＳＢやＳＤカード等の抜き取り式メモリカードは通常、カーナビゲーション本体上に配置するが、カーナビゲーション本体は、アッパーボックスや後方のトランク等の見えない場所に隠してあるため、メモリカードを引き抜いたり交換するのが不便である。更に、はカーナビゲーション本体の一部はデータダウンロードを備える機能があるが、乗車時は常にＵＳＢを抜き取ってあるため、使用上の便利性に欠ける。
【０００４】
業界では以上の問題点を解決するために、各種可能な改良方案を次々に提出している。特に、変更可能な構成要素のマイクロ化、多機能化に対する設計で、整合方式によってＩＴ製品に適応させる新しい発展を企てるものである。例えば図１に示した抜き取り式ポケットコンピュータ（特許文献１）は、ポケットコンピュータ本体１及びケース２により構成され、ポケットコンピュータ本体１は外殻１０内にポケット本体板、中央処理装置、ストレージデバイス、及びバッファメモリを備え、前記外殻１０後端には少なくとも一つのコネクタ１２を配置し、並びに、側面部にはレール１３を配置する。ケース２は、カーオーディオのドライブ口、或いは卓上型コンピュータのディスクドライブ口等の外殻体２０に取り付け、その内部には、ポケットコンピュータ本体１を入れる挿入部２３と、ポケットコンピュータ本体１のコネクタ１２と対応するコネクタ２２とを配置する。これにより、自動車、卓上型パソコンに任意に取り付けるか、単独使用する抜き取り式ポケットコンピュータが構成される。前記ポケットコンピュータ本体１の前端には操作パネル１１を設け、基本的にポケットコンピュータ本体１は変更可能なコンピュータ本体の如きものとなり、深く理解するならば、前記実用新案の創作目的は単に便利に迅速に着脱できる設計にあることが分かる。ポケットコンピュータ本体１は随時、自動車或いはその他設備に組み合わせて使用することができ、単一のポケットコンピュータ本体１を用いて機能変更をしないという前提の下、各種設備に便利に迅速に転用して取り付けできる。よって、コンピュータ機能を向上させることは不可能で、グレードアップし続けるＩＴ技術の新しい使用要求を解決することはできない。
【０００５】
アナログ関連の特許案には、特許文献２、特許文献３、特許文献４、特許文献５、特許文献６、特許文献７、特許文献８、特許文献９等の開示があるが、これら前案の多くは、カーオーディオ周辺機器のための接続と統合の拡張であり、共用するマルチメディア本体の構造において随時グレードアップさせるニーズを満たすことは依然としてできていない状況である。
【先行技術文献】
【特許文献】
【０００６】
【特許文献１】台湾実用新案第Ｍ２７６２５４号明細書
【特許文献２】台湾特許第５９３０２１号明細書
【特許文献３】台湾特許第Ｉ２４９０３８号明細書
【特許文献４】台湾特許第Ｉ３１４５２５号明細書
【特許文献５】台湾特許第Ｉ３１４５２８号明細書
【特許文献６】台湾実用新案第Ｍ２５３１６５号明細書
【特許文献７】台湾実用新案第Ｍ２８９１２９号明細書
【特許文献８】台湾特許第Ｉ３１１１１３号明細書
【特許文献９】台湾特許第５０１７８０号明細書
【考案の概要】
【考案が解決しようとする課題】
【０００７】
前述の問題点に鑑み、本考案人は積極的に研究と改良を重ね、ついに本考案を完成させた。
本考案の目的は、各種異なる機能のパソコンシステムを変更可能なカーオーディオを提供することにある。それは、カーオーディオ本体の基本構造を変化させることなく、各種異なる機能システムを変更可能な外付式コンピュータモジュールの設計によって、ハードウェアをグレードアップさせる目的を達成するカーオーディオである。
【課題を解決するための手段】
【０００８】
前記本考案の目的を達成するために、本考案の外付式コンピュータシステムを変更可能なカーオーディオは、既にあるカーオーディオ本体構造において、ユーザーのニーズに合わせて各種異なる機能システムを変更できる外付式コンピュータモジュールの構成であり、これによって、ハードウェアをグレードアップさせる目的を達成する。その内、前記カーオーディオ本体は、ディスプレイ、オーディオアッセンブリ、外部接続ラグ端子、及びパネルを備え、前記パネルには少なくとも一つのストレージデバイスジャック及び一つの操作ボタンを配置する。また、カーオーディオ本体の後方には外付式コンピュータモジュールを挿入し固定するためのジャックを設け、外付式コンピュータモジュールには端子台を配置し、外部接続ラグ端子に対応させて接続する。前記パーツの組み合わせにより、各種異なる機能を変更できる外付式コンピュータモジュールは、前述した本考案のハードウェアをグレードアップさせる目的を達成する。
【考案の効果】
【０００９】
本考案の外付式コンピュータシステムを変更可能なカーオーディオは、カーオーディオ本体を変更しないという前提の下、各種異なる機能を変更できる外付式コンピュータモジュールを用いた手段によって、新しい機能を生じさせ、着脱、変更、簡単操作の便利性と機敏性を備え、特に実用性を進歩させる効果を有するものである。
【図面の簡単な説明】
【００１０】
【図１】公知の分解斜視図である。
【図２】本考案の外観斜視図である。
【図３】本考案の分解斜視図である。
【図４】本考案のブロック図である。
【考案を実施するための形態】
【００１１】
図２乃至４に示す通り、本考案の外付式コンピュータシステムを変更可能なカーオーディオＡは、現有のオーディオ本体３の構造において、ユーザーのニーズに合わせて各種異なる機能システムを変更できる外付式コンピュータモジュール４の構成であり、その内、自動車上に配置するオーディオ本体３は、ディスプレイ３１、オーディオアッセンブリ３２、外部接続ラグ端子３５、及びパネル３３を備え、前記パネル３３には少なくとも一つのストレージデバイスジャック３６及び一つの操作ボタン３４を配置する。
【００１２】
前記オーディオ本体３の後方には外付式コンピュータモジュール４を嵌入するための装着部３０を設け、装着部３０の両側にはそれぞれ案内溝３０１を配置し、装着部３０の装着口３００の周囲エッジには更に少なくとも一つの第一定位部３０２を備え、第一定位部３０２は少なくとも一つの定位ボルト孔３０３を備える。
【００１３】
前記外部接続ラグ端子３５はオーディオ本体３の後方に配置し、外付式コンピュータモジュール４前端に配置した端子台４１とそれを接続する利便のために、オーディオ本体３の理想的位置を装着部３０の前壁３０４とする。
前記外部接続ラグ端子３５は、複数のピン部３５１、３５２、３５３、３５４により構成され、各ピン部３５１、３５２、３５３、３５４には、少なくとも一つのピンを備え、外部接続ラグ端子３５の一部分をなし、オーディオ本体３ディスプレイのデジタルＲＧＢ入力ピンａ、オーディオアッセンブリ３２の制御ピンｂ、操作ボタンの制御ピンｃ、及びストレージデバイスジャック３６のピンｄと接続する。
【００１４】
ディスプレイ３１は、タッチパネルディスプレイとするため、ユーザーは直接、外付式コンピュータモジュール４を操作できる。しかも前記デジタルディスプレイＲＧＢ入力ピンａは外部接続ラグ端子３５上に対応するピン部３５１のピンと接続する。
【００１５】
オーディオアッセンブリ３２は、直接、外付式コンピュータモジュール４に制御され、少なくとも一つの操作ボタン３４とスピーカー等の音声通路３２１を備え、制御ピンｂ、ｃは外部接続ラグ端子３５上に対応するピン部３５２、３５３のピンと接続する。
【００１６】
ストレージデバイスジャック３６はディスプレイ３１の側辺に配置し、ＵＳＢジャック３６１或いはＳＤジャック３６２とする。前記ストレージデバイスジャック３６のピンｄは、外部接続ラグ端子３５上に対応するピン部３５４のピンに直接接続し、ストレージデバイス５を接続しデータを入力または読み取りする。
【００１７】
前記本考案の外付式コンピュータモジュール４は、その前端に端子台４１を設け、それは対応する外部接続ラグ端子３５に接続する。端子台４１は、複数のピン部４１１、４１２、４１３、４１４によって構成され、各ピン部４１１、４１２、４１３、４１４は少なくとも一つのピンを備え、外付式コンピュータモジュール４は少なくとも処理ユニット４２、画像処理ユニット４３、音声処理ユニット４４と、少なくとも一つの応用ソフトユニット４５とを備える。
【００１８】
前記応用ソフトユニット４５は、少なくとも一つのオーディオ操作インタフェースソフトと、再生デジタルフォームを備えるミュージックファイルのソフト及びハードを含む。
【００１９】
また、前述した本考案の外付式コンピュータモジュール４は、その外部両側の側壁４０にそれぞれレール４０１を備え、レール４０１は、対応するオーディオ本体３の装着部３０の案内溝３０１に楔合させ、外付式コンピュータモジュール４の外部末端に少なくとも一つの第二定位部４０２を設け、その上に少なくとも一つの定位孔４０３を配置し、第一定位部３０２の定位ボルト孔３０３に対応させ、対応するボルト４０４を螺合し固定する。
【００２０】
外付式コンピュータモジュール４の機能は、ユーザーのニーズに合わせて各種異なる機能システムのコンピュータモジュールを選択できる。例えば、ナビゲーションを必要とする時、ナビゲーション機能を備える外付式コンピュータモジュール４に交換可能であり、外付式コンピュータモジュール４をオーディオ本体３に嵌入した組み合わせによって、一般のナビゲーション使用を提供する。
また、ディスプレイ３１の側辺に配置したストレージデバイスジャック３６は、ナビゲーション機能を備えた外付式コンピュータモジュール４によって制御され、一般のナビゲーションの使用を提供する他、更にグレードアップした外部ナビゲーションデータの入力は、外付式コンピュータモジュール４の処理を経て、特殊なナビゲーション使用要求を満足させることができる。
【００２１】
本考案の外付式コンピュータシステムを変更可能なカーオーディオＡは、ユーザー個人のニーズに合わせて各種異なる機能システムの外付式コンピュータモジュール４を選択でき、現有のオーディオ本体３を変更させずに、先にオーディオ本体３内に取り付けた外付式コンピュータモジュール４を交換することで、即刻、機能アップを得ることができる。並びに、外付式コンピュータモジュール４の画像処理ユニット４３、処理ユニット４２、及びディスプレイ３１デジタル画像のサポートと組み合わせの下、良好な画質及び音響効果を提供する。
【００２２】
前述は、単なる本考案の良好な実施例であり、これによって本考案の実施範囲を限定するものではない。よって、本考案の実用新案登録請求の範囲に基づいて為された同等価値のある変化や修飾は全て、本考案の登録請求の範囲に含まれることをここに記する。
【符号の説明】
【００２３】
１  ポケットコンピュータ本体
１０  外殻
１１  パネル
１２  コネクタ
１３  レール
２  ケース
２０  外殻体
２１  案内溝
２２  コネクタ
２３  挿入部
３  オーディオ本体
３０  装着部
３００  装着口
３０１  案内溝
３０２  第一定位部
３０３  定位ボルト孔
３０４  前壁
３１  ディスプレイ
３２  オーディオアッセンブリ
３２１  音声通路
３３  パネル
３４  操作ボタン
３５  外部接続ラグ端子
３５１、３５２、３５３、３５４  ピン部
３６  ストレージデバイスジャック
３６１  ＵＳＢジャック
３６２  ＳＤジャック
４  外付式コンピュータモジュール
４０  側壁
４０１  レール
４０２  第二定位部
４０３  定位孔
４０４  ボルト
４１  端子台
４１１、４１２、４１３、４１４  ピン部
４２  処理ユニット
４３  画像処理ユニット
４４  音声処理ユニット
４５  応用ソフトユニット
Ａ  カーオーディオ
ａ  入力ピン
ｂ、ｃ  制御ピン
ｄ  ピン
【図１】
0003166796.tif 000003
【図２】
0003166796.tif 000004
【図３】
0003166796.tif 000005
【図４】
0003166796.tif 000006